(57)【要約】      （修正有）【課題】本体に設けられたシャフトにより外蓋を開閉することができるようにする。【解決手段】中央に収容空間を有する本体と、トイレブラシを収容可能なブラシカバーが設けられている受け台と、本体の底部に嵌合可能であり、中央に貫通孔が開設されており、周縁に止め片が設けられている底蓋と、底蓋の貫通孔に係止可能である回転シャフトと、底蓋の上端に設けられ、回転シャフトを挿入して枢着可能であり、その底部には底蓋に設けられた止め片と係止可能なリブが設けられている外蓋底台と、外蓋底台の周縁に組み付けられ、円弧形カバーが設けられ、円弧形カバーを取り外すと、本体の開口付き収容空間が外部に露出する外蓋とを含む。【選択図】図１
0003141894.tif 000002
【実用新案登録請求の範囲】
【請求項１】
中央に開口付き収容空間を有する本体と、
前記本体に対応しており、トイレブラシを収容可能であり、前記トイレブラシをカバーするブラシカバーが設けられている受け台と、
前記本体の底部に嵌合可能であり、中央に貫通孔が開設されており、周縁に止め片が設けられている底蓋と、
前記底蓋の貫通孔に係止可能である回転シャフトと、
前記底蓋の上端に設けられており、前記回転シャフトを挿入して枢着可能であり、その底部には前記底蓋に設けられた止め片と係止可能なリブが設けられている外蓋底台と、
前記外蓋底台の周縁に組み付けられており、円弧形カバーが設けられており、前記円弧形カバーを取り外すと、前記本体の開口付き収容空間が外部に露出する外蓋と、を含むことを特徴とする
トイレ用具収納装置。
【請求項２】
前記底蓋と前記外蓋底台の間には、前記外蓋底台と前記本体の液密度を向上する弾性具が設けられていることを特徴とする、請求項１に記載のトイレ用具収納装置。
【請求項３】
前記本体には、前記受け台内のトイレブラシに対応している係止柄が延設されていることを特徴とする、請求項１に記載のトイレ用具収納装置。
【考案の詳細な説明】
【技術分野】
【０００１】
本考案はトイレ用具収納装置に関し、特に、トイレブラシや便器疎通用柄付き吸盤などのトイレ用具を収納可能であり、本体に設けられているシャフトにより外蓋を開閉可能なトイレ用具収納装置に関するものである。
【背景技術】
【０００２】
従来、一般の家庭や事務所のトイレは、清掃作業が極めて重要なことである。
その理由は、便器の床面に細菌が存在していることと、トイレ清掃に使用されるトイレ用具がゴミ箱の近傍に放置されることが多いためである。
また、便器を清掃したトイレブラシや便器疎通用柄付き吸盤などは、匂いがするので、そのまま外部に露出したままにしておくとトイレ内の空気の品質が悪くなる。
さらに家庭用のトイレはスペースが小さいので、トイレブラシや便器疎通用柄付き吸盤などのトイレ用具の収納に工夫をしないと、トイレの使用可能なスペースが狭くなるといった問題があった。
【０００３】
そのため、図８に示したような特許文献１（米国特許ＵＳ７１８５７５９Ｂ２号公報）のトイレ用具収納装置が提案された。
この装置は、台座１０と、内カバー２０と、外カバー３０と、を含み、台座１０が外カバー３０と係合可能である。また、台座１０に複数のローラ４０が組付けられている。台座１０の上にはトイレ用具を設置可能な受け窪み２０１を有する内カバー２０が設けられており、受け窪み２０１の周縁をローラ４０に当接すると内カバー２０が回動可能になり、ローラ４０により内カバー２０が開閉可能である。
【特許文献１】米国特許ＵＳ７１８５７５９Ｂ２号公報
【０００４】
しかし、前記したトイレ用具収納装置には次のような欠点があった。
（１）台座の周縁に設けられた複数のローラは内カバーに応じて回動することができるが、各ローラの高さ、又は回動具合によって、回動が不安定になる場合がある。
（２）台座、内カバーと外カバーの間に液密設計がないので、台座と外カバーの間に汚れやゴキブリなどが侵入し易い問題がある。
【考案の開示】
【考案が解決しようとする課題】
【０００５】
本考案の主な目的は、本体に設けられたシャフトにより外蓋を開閉することができるトイレ用具収納装置を提供することにある。
【課題を解決するための手段】
【０００６】
本願の第１考案に係るトイレ用具収納装置によると、中央に開口付き収容空間を有する本体と、前記本体に対応しており、トイレブラシを収容可能であり、前記トイレブラシをカバーするブラシカバーが設けられている受け台と、前記本体の底部に嵌合可能であり、中央に貫通孔が開設されており、周縁に止め片が設けられている底蓋と、前記底蓋の貫通孔に係止可能である回転シャフトと、前記底蓋の上端に設けられており、前記回転シャフトを挿入して枢着可能であり、その底部には前記底蓋に設けられた止め片と係止可能なリブが設けられている外蓋底台と、前記外蓋底台の周縁に組み付けられており、円弧形カバーが設けられており、前記円弧形カバーを取り外すと、前記本体の開口付き収容空間が外部に露出する外蓋と、を含むことを特徴とするトイレ用具収納装置である。
【０００７】
本願の第２考案に係るトイレ用具収納装置によると、前記底蓋と前記外蓋底台の間には、前記外蓋底台と前記本体の液密度を向上する弾性具が設けられている。
本願の第３考案に係るトイレ用具収納装置によると、前記本体には、前記受け台内のトイレブラシに対応している係止柄が延設されている。
【考案の効果】
【０００８】
本考案に係るトイレ用具収納装置によれば、次のような効果が得られる。
（１）本体の開口付き収容空間および受け台により、トイレブラシや便器疎通用柄付き吸盤などのトイレ用具を適当に収納することができて、トイレブラシや便器疎通用柄付き吸盤などのトイレ用具の匂いが外部に発散しなくなり、トイレ内の空気の品質が良くなる。
（２）回転シャフトを回動することにより、外蓋台座と外蓋とが開閉できて、回転シャフトが中央部位に設けられるので、その回動がスムーズになって、使用するうえで大変便利になる。
【０００９】
（３）底蓋と外蓋台座の間に設けた弾性具により、外蓋台座と本体の液密度が格段に向上して、汚れやゴキブリなどが台座と外カバーの間に侵入し難くなる。
【考案を実施するための最良の形態】
【００１０】
以下、本考案の実施の形態を図面に基づいて説明する。
まず、図１乃至図３及び図６を参照する。本考案に係るトイレ用具収納装置は、
中央に開口付き収容空間１１を有する本体１と、
前記本体１に対応しており、トイレブラシＢを収容可能である受け台２と、
前記本体１の底部に嵌合可能であり、中央に貫通孔３１が開設されている底蓋３と、
前記底蓋３の貫通孔３１に係止可能である回転シャフト４と、
前記底蓋３の上端に設けられており、前記回転シャフト４を挿入して枢着可能である外蓋底台５と、
前記外蓋底台５の周縁に組み付けられており、円弧形カバー６１が設けられており、前記円弧形カバー６１を取り外すと、前記本体の開口付き収容空間１１が外部に露出する外蓋６と、を含む。
【００１１】
次に、図３乃至図７を参照する。
本考案の組付方法は、回転シャフト４を底蓋３の下から嵌め込んで貫通孔３１に係止して、本体１に底蓋３を組付けて、外蓋台座５に外蓋６を係止して、回転シャフト４が枢着されるように、それらの組合せ体を底蓋３の上に設置すると、本体１の開口付き収容空間１１及び外蓋台座５に便器疎通用柄付き吸盤Ａを収納することができる。
外蓋６の円弧形カバー６１により開口付き収容空間１１が遮蔽される。
また、本体１に設けられている受け台２にトイレブラシＢを収納することができる。
受け台２にはトイレブラシＢをカバーするブラシカバー２１が設けられており、そして本体１には、受け台２内のトイレブラシＢに対応している係止柄１２が延設されている。係止柄１２によりトイレブラシＢが支持される。
【００１２】
また、便器疎通用柄付き吸盤Ａの柄を握って外蓋台座５を回転すると、外蓋台座５が回転シャフト４を回動して外蓋６の円弧形カバー６１が移動されるようになる。
外蓋６の円弧形カバー６１が移動すると本体１の開口付き収容空間１１が外部に露出する。
このとき、便器疎通用柄付き吸盤Ａを取り出して使用することができる。
逆に、便器疎通用柄付き吸盤Ａを本来の位置に戻した後、便器疎通用柄付き吸盤Ａの柄を握って外蓋台座５を回転すると、外蓋台座５が回転シャフト４を回動して外蓋６の円弧形カバー６１が移動する。
外蓋６の円弧形カバー６１が移動すると本体１の開口付き収容空間１１が遮蔽されるようになる。
【００１３】
また、図１を参照する。
底蓋３と外蓋底台５の間には、外蓋底台５と本体１の液密度を向上する弾性具３２が設けられている。
そうすると、汚れやゴキブリなどは台座１０と外カバー３０の間に侵入し難くなる。
次に、図１及び図５を参照する。
底蓋３の周縁には止め片３３が設けられている。止め片３３が外蓋台座５の底部のリブ５１と互いに係止する。
これにより、外蓋６の円弧形カバー６１の開閉範囲が規制されるようになる。
【００１４】
以上の説明は本考案の実施例の説明にすぎず、本考案はこれらの実施例に限定されるものではなく、本考案の精神を逸脱しないで当業者が適宜行なう実施例の変更、追加、または削除を施してもよいことは勿論である。
【図面の簡単な説明】
【００１５】
【図１】本考案に係るトイレ用具収納装置の分解斜視図である。
【図２】本考案に係るトイレ用具収納装置の組合せ状態の斜視図１である。
【図３】本考案に係るトイレ用具収納装置の組合せ状態の斜視図２である。
【図４】本考案に係るトイレ用具収納装置の組合せ状態の斜視図３である。
【図５】本考案に係るトイレ用具収納装置の断面概略図１である。
【図６】本考案に係るトイレ用具収納装置の断面概略図２である。
【図７】本考案に係るトイレ用具収納装置の断面概略図３である。
【図８】従来のトイレ用具収納装置の構成を示す概略図である。
【符号の説明】
【００１６】
１：本体、２：受け台、３：底蓋、４：回転シャフト、５：外蓋底台、６：外蓋、１０：台座、１１：開口付き収容空間、１２：係止柄、２０：内カバー、２１：ブラシカバー、３０：外カバー、３１：貫通孔、３２：弾性具、３３：止め片、４０：ローラ５１：リブ、６１：円弧形カバー、２０１：受け窪み、Ａ：便器疎通用柄付き吸盤、Ｂ：トイレブラシ
【図１】
0003141894.tif 000003
【図２】
0003141894.tif 000004
【図３】
0003141894.tif 000005
【図４】
0003141894.tif 000006
【図５】
0003141894.tif 000007
【図６】
0003141894.tif 000008
【図７】
0003141894.tif 000009
【図８】
0003141894.tif 000010